(57)【特許請求の範囲】
【請求項１】
キーボードのキー入力を抑止するキーボード入力抑止計算機であって、
ウィンドウ画面ごとに上記キーボードの各キーの有効または無効を定義した情報を有するキー定義情報部、
マルチウィンドウ画面を表示するとともに、マウスまたはキーボードの操作に応じて、アクティブウィンドウ画面を変化させるマルチウィンドウ表示手段、
および上記アクティブウィンドウ画面を特定し、当該アクティブウィンドウ画面に対応する上記キー定義情報部の情報を参照して、上記有効または無効の状態が変化したキーを抽出し、この抽出したキーについて、上記キーボードで物理的に押下可能または押下不可とするように上記キーボードに通知するキーボード抑止手段を備え、
上記キーボード抑止手段は、上記マウスまたは上記キーボードが操作されるつど、実行されることを特徴とするキーボード入力抑止計算機。
【請求項２】
上記キーボードを使用するユーザごとに、上記キーボード抑止手段を使用するか使用しないかが設定されることを特徴とする請求項１に記載のキーボード入力抑止計算機。
【請求項３】
上記キー定義情報部は、上記キーボードを使用するユーザが所属するグループごとに形成されていることを特徴とする請求項１または請求項２に記載のキーボード入力抑止計算機。
【請求項４】
上記キー定義情報部は、上記ウィンドウ画面の領域ごとに、上記キーボードの各キーの有効または無効を定義した情報を有することを特徴とする請求項１から請求項３のいずれか一項に記載のキーボード入力抑止計算機。
【請求項５】
上記キー定義情報部の情報を更新するキー情報更新手段を備えたことを特徴とする請求項１から請求項４のいずれか一項に記載のキーボード入力抑止計算機。
【発明の詳細な説明】
【技術分野】
【０００１】
この発明は、マルチウィンドウを採用しているプラント監視システムにおいて、キーボードの使用しないキーの入力を抑止するキーボード入力抑止計算機に関するものである。
【背景技術】
【０００２】
マルチウィンドウを採用しているプラント監視システムでは、モニタ上に複数のウィンドウ画面を同時に表示することができる。
この場合、マウスまたはキーボード操作で操作対象とするウィンドウ画面を選択（アクティブ）することで、キーボード、マウスなどの入力手段からのキーイベントまたはマウスクリックイベントが、選択したウィンドウ画面に配信され、そのイベントに割り当てられている機能が実行される。
【０００３】
例えば、マルチウィンドウを採用したプラント監視システムでは、アクティブにしたウィンドウ画面に機能Ａと機能Ｂを実行するためのボタンが配置されているものがある。
また、これらの機能をキーボード操作でも実行できるようにキーが割り当てられていて、機能Ａにはキー‘Ａ’を、機能Ｂにはキー‘Ｂ’が割り当てられている。
このようなプライント監視システムにおいて、機能Ａを実行したい場合は、マウス操作でボタンＡのエリアをクリックするか、機能Ａを実行するキーとして割り当てられているキー‘Ａ’を押下する。
マウスクリックによって発生したマウスクリックイベントは、そのクリックした座標に表示しているウィンドウ画面に送信され、キーボードのキー‘Ａ’を押下した場合は、アクティブになっているウィンドウ画面に配信される。
イベントが配送されたウィンドウ画面は、マウスがクリックされた座標位置または送信されたキーコードから判定し、機能Ａを実行するようになっている。
【先行技術文献】
【特許文献】
【０００４】
【特許文献１】特開平５−１０９３３６号公報（第２頁、第２図）
【発明の概要】
【発明が解決しようとする課題】
【０００５】
上述の例において、機能Ａが実施できない状態になった場合、プライント監視システムでは、ボタンを見え消しにするなどして、ユーザに視覚的に操作できないことを知らせる。
この状態で、ボタンＡの座標をマウスクリックすると、そのマウスクリック座標は、その座標に表示しているウィンドウ画面に配信される。
配信されたマウスクリック座標を受け取ったウィンドウ画面は、機能Ａが実施できないために特に何も処理を実施しない。
また、ユーザは見え消しになっているので、操作できないことを直感的に理解することができる。
【０００６】
一方、キーボード操作によって機能Ａを実施しようとした場合、キーボードのキー‘Ａ’を押下すると、キー‘Ａ’はアクティブになっているウィンドウ画面に配送される。ウィンドウ画面は、機能Ａが実施できないために機能Ａは実施しない。
しかし、ユーザはキーボードを物理的に押下することが可能であるために、キー‘Ａ’に割り当てられている機能が実行されたかどうか分からない。
そのため、ユーザに対してエラーメッセージを表示することで、機能Ａが実行できなかったことを表示することが一般的である。
このように、マウス操作、キーボード操作の両方の入力手段がある場合、マウス操作については視覚的に操作不能であることを表示できるのに対し、キーボード操作の場合は、キーボードを物理的に押下した後にエラーメッセージに表示することになる。
このため、キーボード操作から入力作業する場合は、一旦作業を中断して、エラーメッセージ内容を判別する必要があり、作業効率が落ちるという問題があった。
【０００７】
使用しないキーボードのキーの入力を抑止する方式として、例えば、特許文献１では、メニュー（画面）に表示するキー（機能するキー）以外のキーは、キースイッチロック機能によりロックすることで、機能しないキーは物理的に押下できなくするため、機能するキーのみがメニューに配信される。
この特許文献１を、マルチウィンドウ対応のプログラムに適用した場合、モニタ上に表示されていても、アクティブウィンドウ外のキーは機能しない。特許文献１には、これらのアクティブウィンドウ外のキーへの対応については言及されていなかった。
【０００８】
この発明は、上述のような課題を解決するためになされたものであり、マルチウィンドウ表示であっても、キーボードの使用しないキーの入力を抑止するキーボード入力抑止計算機を得ることを目的とする。
【課題を解決するための手段】
【０００９】
この発明に係わるキーボード入力抑止計算機においては、キーボードのキー入力を抑止するキーボード入力抑止計算機であって、ウィンドウ画面ごとにキーボードの各キーの有効または無効を定義した情報を有するキー定義情報部、マルチウィンドウ画面を表示するとともに、マウスまたはキーボードの操作に応じて、アクティブウィンドウ画面を変化させるマルチウィンドウ表示手段、およびアクティブウィンドウ画面を特定し、当該アクティブウィンドウ画面に対応するキー定義情報部の情報を参照して、有効または無効の状態が変化したキーを抽出し、この抽出したキーについて、キーボードで物理的に押下可能または押下不可とするようにキーボードに通知するキーボード抑止手段を備え、キーボード抑止手段は、マウスまたはキーボードが操作されるつど、実行されるものである。
【発明の効果】
【００１０】
この発明によれば、キーボードのキー入力を抑止するキーボード入力抑止計算機であって、ウィンドウ画面ごとにキーボードの各キーの有効または無効を定義した情報を有するキー定義情報部、マルチウィンドウ画面を表示するとともに、マウスまたはキーボードの操作に応じて、アクティブウィンドウ画面を変化させるマルチウィンドウ表示手段、およびアクティブウィンドウ画面を特定し、当該アクティブウィンドウ画面に対応するキー定義情報部の情報を参照して、有効または無効の状態が変化したキーを抽出し、この抽出したキーについて、キーボードで物理的に押下可能または押下不可とするようにキーボードに通知するキーボード抑止手段を備え、キーボード抑止手段は、マウスまたはキーボードが操作されるつど、実行されるので、マルチウィンドウ画面を表示する場合でも、キーボードの使用しないキーの入力を抑止することができる。
【図面の簡単な説明】
【００１１】
【図１】この発明の実施の形態１によるキーボード入力抑止計算機を示すブロック図である。
【図２】この発明の実施の形態１によるキーボード入力抑止計算機のウィンドウ有効キー情報を示す図である。
【図３】この発明の実施の形態１によるキーボード抑止機能の処理手順を示すフローチャートである。
【図４】この発明の実施の形態２によるキーボード入力抑止計算機を示すブロック図である。
【図５】この発明の実施の形態２によるキーボード入力抑止計算機のユーザ情報を示す図である。
【図６】この発明の実施の形態２によるキーボード抑止機能の処理手順を示すフローチャートである。
【図７】この発明の実施の形態３によるキーボード入力抑止計算機のウィンドウ有効キー情報を示す図である。
【図８】この発明の実施の形態３によるキーボード入力抑止計算機のユーザ情報を示す図である。
【図９】この発明の実施の形態３によるキーボード抑止機能の処理手順を示すフローチャートである。
【図１０】この発明の実施の形態４によるキーボード入力抑止計算機を示すブロック図である。
【図１１】この発明の実施の形態４によるキーボード入力抑止計算機のウィンドウ有効キー情報を示す図である。
【図１２】この発明の実施の形態４および実施の形態５によるキーボード抑止機能の処理手順を示すフローチャートである。
【図１３】この発明の実施の形態５によるキーボード入力抑止計算機を示すブロック図である。
【図１４】この発明の実施の形態５によるキー抑止情報変更処理の手順を示すフローチャートである。
【発明を実施するための形態】
【００１２】
実施の形態１．
以下、この発明の実施の形態１を説明する。
図１は、この発明の実施の形態１によるキーボード入力抑止計算機を示すブロック図である。
図１において、計算機（ＰＣ）１（ＰＣ：ｐｅｒｓｏｎａｌ  ｃｏｍｐｕｔｅｒ）には、キーボード２とマウス３の入力手段が実装されている。キーボード２は、キートップ２ａと、後述するキー物理的抑止機能２ｂとを有する。
計算機（ＰＣ）１は、オペレーティングシステム（ＯＳ）４（ＯＳ：Ｏｐｅｒａｔｉｎｇ  Ｓｙｓｔｅｍ）と、マルチウィンドウシステム５とを有する。
マルチウィンドウシステム５は、モニタに表示される監視画面を表示するアプリケーションプログラム６を実行している。アプリケーションプログラム６（マルチウィンドウ表示手段）は、ディスクトップ画面６ａとウィンドウ画面６ｂ〜６ｎとを表示する。
【００１３】
オペレーティングシステム（ＯＳ）４は、キーボード・マウス受信処理４ａを有し、キーボード２から押下されたキーイベント、マウス３をクリックしたときのマウスイベントを、キーボード・マウス受信処理４ａ経由で、マルチウィンドウシステム５に配信する。
マルチウィンドウシステム５に配信されたキーボード、マウスイベントは、アプリケーションプログラム６に配信される前に、キーボード抑止機能７でフックする。
キーボード抑止機能７（キーボード抑止手段）は、キー抑止判断情報８を参照して、キーボード２で物理的に押下できなくするキーを決定し、キー物理的抑止機能２ｂに通知する。
キー物理的抑止機能２ｂは、無効に設定されたキーに対しては、キーが物理的に押下できないようにロックする。
キー抑止判断情報８は、図２に示すウィンドウ有効キー情報９（キー定義情報部）を有する。
【００１４】
図２は、この発明の実施の形態１によるキーボード入力抑止計算機のウィンドウ有効キー情報を示す図である。
図２において、ウィンドウ有効キー情報９は、ウィンドウ画面９ａごとに、有効キーと抑止キーを定義したもので、キーボード２のＡ０１〜Ｇ１２の各キーに機能が割り当てられている（有効キー）かどうかを示すキー割り当て機能有無一覧９ｂを有している。
【００１５】
次に、動作について説明する。
実施の形態１のキーボード抑止機能７の処理について、図３を用いて説明する。
アプリケーションプログラム６は、起動すると、マウス・キーボード情報を参照することができるようにキーボード抑止機能７をフック処理に登録（ステップＳＴ１００１）して、イベント待ちする。
マウス３またはキーボード２が操作されたときに、キーボード・マウス受信処理４ａからイベント通知されるか、または、アプリケーションプログラム６が、起動時にイベント通知することで、イベント待ちから抜ける（ステップＳＴ１００２）。
【００１６】
イベント待ちから抜けると、アプリケーションプログラム６のアクティブウィンドウ画面を特定（ステップＳＴ１００３）し、ウィンドウ有効キー情報９から、アクティブウィンドウ画面で機能するキー情報を読み出し（ステップＳＴ１００４）、現状のキーボード２で設定されている有効キー、抑止キーとの差分を特定する（ステップＳＴ１００５）。
次いで、キー物理的抑止機能２ｂに対して、差分のキー状態を変更するように設定（有効キーまたは抑止キーの設定変更）を行う（ステップＳＴ１００６）。これにより、アクティブウィンドウ画面で、無効に設定されているキーは、物理的に押下不可となる。
イベント待ちから抜けた要因が、キー操作・マウス移動イベントの場合（ステップＳＴ１００７）は、キー操作イベントまたはマウス移動イベントをアクティブウィンドウに配信し（ステップＳＴ１００８）、ステップＳＴ１００２のイベント待ちに戻る。
キー操作・マウス移動イベント以外の場合（ステップＳＴ１００７）は、そのままステップＳＴ１００２のイベント待ちに戻る。
【００１７】
実施の形態１によれば、以上のように、ウィンドウ画面ごとに機能するキー情報を定義し、マウス移動によってアクティブウィンドウ画面が変化する度に、キーボードが物理的に押下不可とするキーと一致させることが可能になる。
このため、機能していないキーがキーボードから押下されることがないため、エラーメッセージ表示させる必要はなく、その対応に時間を取られず作業効率が上がるという効果がある。
【００１８】
実施の形態２．
以下、この発明の実施の形態２を説明する。
図４は、この発明の実施の形態２によるキーボード入力抑止計算機を示すブロック図である。
図４において、１〜９、２ａ、２ｂ、４ａ、６ａ〜６ｎは図１におけるものと同一のものである。図４では、キー抑止判断情報８が、図５に示すユーザ情報１０を有する。
【００１９】
図５は、この発明の実施の形態２によるキーボード入力抑止計算機のユーザ情報を示す図である。
図５において、ユーザ情報１０は、ユーザＩＤ１０ａ（ＩＤ：ｉｄｅｎｔｉｆｉｃａｔｉｏｎ）ごとに、キーボード抑止機能７の使用有無を示す機能実施有無情報１０ｂを有する。
【００２０】
次に、動作について説明する。
実施の形態２のキーボード抑止機能７の処理について、図６を用いて説明する。
なお、図６で、ステップＳＴ１００１〜ステップＳＴ１００８の各処理は、図３における処理と同一の処理であり、その説明を省略する。
【００２１】
マウス操作、キーボード操作、アプリケーションプログラム起動などにより、イベント待ち（ステップＳＴ１００２）から抜けると、ユーザ情報１０から現在操作しているユーザの機能実施有無情報１０ｂを参照し、キーボード抑止機能７を有効にしているユーザかどうかを判断する（ステップＳＴ２００１）。
機能を無効にしているユーザは、キーボード抑止処理を実行せずに、イベント待ちから抜けた要因が、キーイベント、マウス移動イベントの場合（ステップＳＴ１００７）は、アクティブウィンドウに対してイベントを配送し（ステップＳＴ１００８）し、イベント待ち（ステップＳＴ１００２）に戻る。
機能を有効にしているユーザの処理は、実施の形態１の処理フローと同様なので、説明を省略する。
【００２２】
実施の形態２によれば、以上のように、ユーザ情報を参照する機能を設けて、キーボード抑止機能を使わないユーザを指定できるようにしたので、無効となっているキーを操作したときに、作業効率は落ちるが、エラーメッセージ表示を行うことが可能になる。
このため、より詳細なエラー原因を知ることができ、作業者の熟練度にしたがって使い分けすることができるという効果がある。
【００２３】
実施の形態３．
以下、この発明の実施の形態３を説明する。
実施の形態３のキーボード入力抑止計算機の構成は、図４の構成と同じである。
実施の形態３では、ユーザ情報にユーザの所属するグループの情報を追加したものである。
【００２４】
図７は、この発明の実施の形態３によるキーボード入力抑止計算機のウィンドウ有効キー情報を示す図である。
図７において、９、９ａ、９ｂは図２におけるものと同一のものである。図７では、ウィンドウ有効キー情報９は、ユーザが所属するグループごとに異なる表となっている。
【００２５】
図８は、この発明の実施の形態３によるキーボード入力抑止計算機のユーザ情報を示す図である。
図８において、１０、１０ａ、１０ｂは図５におけるものと同一のものである。図８では、ユーザ情報１０に、各ユーザが所属するグループＩＤ１０ｃが追加されている。
【００２６】
次に、動作について説明する。
実施の形態３のキーボード抑止機能７の処理について、図９を用いて説明する。
なお、図９で、ステップＳＴ１００１〜ステップＳＴ１００８、ステップＳＴ２００１の各処理は、図６における処理と同一の処理であり、その説明を省略する。
【００２７】
キーボード操作、アプリケーションプログラム６の起動などにより、イベント待ち（ステップＳＴ１００２）から抜けると、ユーザ情報１０のうちの、現在操作しているユーザの機能実施有無情報１０ｂを参照し、現在操作しているユーザが、キーボード抑止機能７を有効にしているユーザであるかどうかを判断する（ステップＳＴ２００１）。
キーボード抑止機能７を有効にしているユーザの場合は、そのユーザが所属しているグループＩＤ１０ｃと一致するウィンドウ有効キー情報９を読み出し（ステップＳＴ３００１）、アクティブウィンドウのキー割り当て機能有無一覧９ｂに従って、キーボード２に対して、物理的に押下可能キー、不可能キーを設定する（ステップＳＴ１００３〜ステップＳＴ１００６）。
次いで、イベント待ちから起動した要因を判定し、キーイベント、マウス移動イベントの場合（ステップＳＴ１００７）は、アクティブウィンドウ画面に対して、イベントを配送し（ステップＳＴ１００８）し、イベント待ち（ステップＳＴ１００２）に戻る。
【００２８】
実施の形態３によれば、以上のように、ユーザが所属するグループごとにウィンドウ有効キー情報を設けたことで、ユーザが所属するグループで使用できる機能が異なる場合でも、画面上の処理とキーボードの物理的な押下状態を一致させることができるという効果がある。
【００２９】
実施の形態４．
以下、この発明の実施の形態４を説明する。
図１０は、この発明の実施の形態４によるキーボード入力抑止計算機を示すブロック図である。
図１０において、１〜１０、２ａ、２ｂ、４ａ、６ａ〜６ｎは図４におけるものと同一のものである。図１０では、アプリケーションプログラム６のウィンドウ画面６ｂ〜６ｎが領域ごとに分割されている。例えば、ウィンドウ画面６ｂは領域６ｂ１、領域６ｂ２、領域６ｂ３に分割されている。ウィンドウ画面６ｃは領域６ｃ１、領域６ｃ２に分割され、ウィンドウ画面６ｎは領域６ｎ１、領域６ｎ２に分割されている。
【００３０】
図１１は、この発明の実施の形態４によるキーボード入力抑止計算機のウィンドウ有効キー情報を示す図である。
図１１において、９、９ａ、９ｂは図７におけるものと同一のものである。図１１では、ウィンドウ有効キー情報９が、ウィンドウ画面に加えて、ウィンドウが分割された領域６ｂ１〜領域６ｂ３についても、定義できるように拡張されている。
【００３１】
実施の形態４は、実施の形態３のキーボード入力抑止計算機と比較して、アプリケーションプログラム６のウィンドウ画面６ｂ〜６ｎが領域ごとに分割されている。例えば、ウィンドウ画面６ｂは、領域６ｂ１、領域６ｂ２、領域６ｂ３に分割されている。
これに伴い、図１１のウィンドウ有効キー情報９に、ウィンドウ画面の他に、領域６ｂ１〜領域６ｂ３についても定義できるようになっている。
【００３２】
次に、動作について説明する。
実施の形態４のキーボード抑止機能７の処理について、図１２を用いて説明する。
なお、図１２で、ステップＳＴ１００１〜ステップＳＴ１００８、ステップＳＴ２００１、ステップＳＴ３００１の各処理は、図９における処理と同一の処理であり、その説明を省略する。
【００３３】
キーボード操作、アプリケーションプログラム起動などにより、イベント待ち（ステップＳＴ１００２）から抜けると、ユーザ情報１０のうちの、現在操作しているユーザの機能実施有無情報１０ｂを参照し、現在操作しているユーザが、キーボード抑止機能７を有効にしているユーザであるかどうかを判断（ステップＳＴ２００１）する。
キーボード抑止機能７を有効にしているユーザの場合は、ユーザが所属するグループＩＤ１０ｃと一致するウィンドウ有効キー情報９を読み出し（ステップＳＴ３００１）、アクティブウィンドウ画面を特定する（ステップＳＴ１００３）。
【００３４】
次に、アクティブウィンドウ内で、さらにアクティブになっている領域があるかどうかをチェックし（ステップＳＴ４００１）、アクティブ領域がある場合は、アクティブ領域に一致するキー割り当て機能有無一覧９ｂ（キー情報）を呼び出す（ステップＳＴ４００２）。
アクティブ領域がない場合は、アクティブウィンドウに一致するキー割り当て機能有無一覧９ｂ（キー情報）を呼び出す（ステップＳＴ１００４）。
この特定したキー割り当て機能有無一覧９ｂのキー情報に従って、キーボード２に対して物理的に押下可能キー、不可能キーを設定する（ステップＳＴ１００５〜ステップＳＴ１００６）。
次に、イベント待ちから起動した要因を判定し（ステップＳＴ１００７）、マウスキー操作、マウス移動イベントの場合は、アクティブウィンドウに対してイベントを配送し（ステップＳＴ１００８）し、イベント待ち（ステップＳＴ１００２）に戻る。
【００３５】
実施の形態４によれば、以上のように、ウィンドウ画面が複数の領域を持っていて、かつその領域単位でアクティブとなるマルチウィンドウプログラムにおいても、画面上の処理とキーボードの物理的な押下状態を一致させることができるという効果がある。
【００３６】
実施の形態５．
以下、この発明の実施の形態５を説明する。
図１３は、この発明の実施の形態５によるキーボード入力抑止計算機を示すブロック図である。
図１３において、１〜１０、２ａ、２ｂ、４ａ、６ａ〜６ｎ、６ｂ１、６ｂ２、６ｂ３、６ｃ１、６ｃ２、６ｎ１、６ｎ２は図１０におけるものと同一のものである。図１３では、マルチウィンドウシステム５に、キー抑止判断情報８をオンラインで変更するための手段であるキー抑止情報更新機能１１（キー情報更新手段）を設けている。
【００３７】
実施の形態５は、実施の形態４のキーボード入力抑止計算機と比較して、キー抑止判断情報８をオンラインで変更するための手段であるキー抑止情報更新機能１１が追加されたものである。
【００３８】
次に、動作について説明する。
なお、実施の形態５のキーボード抑止機能７の処理については、実施の形態４の図１２のフローチャートと同じである。
実施の形態５は、キー抑止情報更新機能１１の処理フローについて説明する。
【００３９】
アプリケーションプログラム６は、処理中にキー割り当てが変化した場合に、変更したいグループＩＤ１０ｃ、ウィンドウ画面９ａ、キー割り当て機能有無一覧９ｂの情報をキー抑止情報更新機能１１に通知する（ステップＳＴ５００１）。
キー抑止情報更新機能１１は、通知された情報に従って、ウィンドウ有効キー情報９の表を更新（ステップＳＴ５００２）し、キーボード抑止機能７を呼び出す（ステップＳＴ５００３）。
このキーボード抑止機能７を呼び出すことで、変更したウィンドウ有効キー情報９をキーボード２に設定する。
【００４０】
実施の形態５によれば、以上のように、ウィンドウ画面で処理により有効キーが変化するようなアプリケーションプログラムにおいても、画面上の処理とキーボードの物理的な押下状態を一致させることができるという効果がある。
【００４１】
なお、本発明は、その発明の範囲内において、各実施の形態を自由に組み合わせたり、各実施の形態を適宜、変形、省略することが可能である。
【符号の説明】
【００４２】
１  計算機（ＰＣ）、２  キーボード、２ａ  キートップ、２ｂ  キー物理的抑止機能、３  マウス、４  オペレーティングシステム（ＯＳ）、
４ａ  キーボード・マウス受信処理、５  マルチウィンドウシステム、
６  アプリケーションプログラム、６ａ  ディスクトップ画面、
６ｂ〜６ｎ  ウィンドウ画面、７  キーボード抑止機能、
８  キー抑止判断情報、９  ウィンドウ有効キー情報、９ａ  ウィンドウ画面、
９ｂ  キー割り当て機能有無一覧、１０  ユーザ情報、１０ａ  ユーザＩＤ、
１０ｂ  機能実施有無情報、１０ｃ  グループＩＤ、１１  キー抑止情報更新機能
【図１】
0006652307.tif 000002
【図２】
0006652307.tif 000003
【図３】
0006652307.tif 000004
【図４】
0006652307.tif 000005
【図５】
0006652307.tif 000006
【図６】
0006652307.tif 000007
【図７】
0006652307.tif 000008
【図８】
0006652307.tif 000009
【図９】
0006652307.tif 000010
【図１０】
0006652307.tif 000011
【図１１】
0006652307.tif 000012
【図１２】
0006652307.tif 000013
【図１３】
0006652307.tif 000014
【図１４】
0006652307.tif 000015